(57)【特許請求の範囲】
【請求項１】
セメントを主成分とする窯業系サイディング材であって、基材表面にレーザーにより刻印が施され、前記刻印が認識可能なように前記刻印を含む基材表面が塗装されていることを特徴とする、窯業系サイディング材。
【請求項２】
前記刻印は微細な凹凸に紛れていることを特徴とする、請求項１に記載の窯業系サイディング材。
【請求項３】
セメントを主成分とする窯業系サイディング材により構成される出隅材であって、基材は、所定の角度を有する二つの平材の端部同士が突き合わされて形成され、出隅頂部は、面取りにより略平坦な面として形成され、前記出隅頂部にレーザーにより刻印が施され、前記刻印が認識可能なように前記刻印を含む出隅頂部が塗装されていることを特徴とする、出隅材。
【請求項４】
前記刻印は微細な凹凸に紛れていることを特徴とする、請求項３に記載の出隅材。
【請求項５】
セメントを主成分とする窯業系サイディング材により構成される出隅材の製造方法であって、所定の角度を有する二つの平材の端部同士を突き合わせて基材を形成し、出隅頂部を面取りにより略平坦な面として形成し、前記出隅頂部にレーザーにより刻印を施した後、前記刻印が認識可能なように前記刻印を含む出隅頂部を塗装することを特徴とする、出隅材の製造方法。
【発明の詳細な説明】
【技術分野】
【０００１】
本発明は、窯業系サイディング材及び出隅材に関する。
【背景技術】
【０００２】
従来、外壁材などとして用いられている窯業系サイディング材にあっては、純正品かどうかを識別するために印刷や刻印などでマークや識別番号などを施すことが行われている。例えば、純正品であることを示すマークやロゴ、ロット番号を印字すると、生産日時、生産工場、塗装グレードなどが判別可能となる。このようなマーク等は、通常、サイディング材の裏面や木口（端面）や他の部材が重なる隠蔽部分などに施されている（例えば特許文献１参照）。
【０００３】
ここで、純正品でないサイディング材が純正品に混在すると、建物の品質が低下するおそれがある。そのため、施工前及び施工時には、純正品であることを確認してサイディング材を使用することが求められる。
【先行技術文献】
【特許文献】
【０００４】
【特許文献１】特開２００５−２１３８９７号公報
【発明の概要】
【発明が解決しようとする課題】
【０００５】
しかし、施工業者は必ずしも純正品のみを用いているとは限られず、施工後において不具合が生じたときなど、施工後において純正品であるかどうかを確認する必要が生じる場合がある。純正品でないサイディング材の混在は、建物の品質を悪化させてしまうおそれがあり、その防止のためには、施工後も純正品かどうかを確認できることが求められるのである。また、純正品でないものが混在して形成された劣悪な建物では、純正品として提供した者の信用を落とすことにもなり得る。このとき、サイディング材の裏面などにマークがある場合、施工後に純正品かどうかを識別するためには、サイディング材を建物から剥がして確認しなければならない。施工後にサイディング材を剥がすと、建物を破損してしまうことになり好ましくない。また、確認のために取り外したサイディング材は廃棄することになり、新しいサイディング材を用意しなければならず、シーリングの打ち替え工事も必要となり、工事の手間や無駄が発生してしまう。
【０００６】
また、出隅材は二つの平板状の壁材を切断し端部を貼り合わせて形成される場合があるが、そのような出隅材においては、純正品の業者（正規メーカー）でない者が、純正品の壁材を用いて勝手に出隅材を形成することがある。その場合、純正品でない出隅材により、建物の品質を低下させてしまうおそれがあり、また純正品の業者の信用を低下させるおそれがある。
【０００７】
本発明は、上記の事情に鑑みてなされたものであり、施工後に純正品かどうかの識別が容易な窯業系サイディング材、出隅材、及び、出隅材の製造方法を提供することを目的とするものである。
【課題を解決するための手段】
【０００８】
本発明に係る窯業系サイディング材は、セメントを主成分とする窯業系サイディング材であって、基材表面にレーザーにより刻印が施され、前記刻印が認識可能なように前記刻印を含む基材表面が塗装されていることを特徴とするものである。
【０００９】
本発明に係る出隅材は、セメントを主成分とする窯業系サイディング材により構成される出隅材であって、基材は、所定の角度を有する二つの平材の端部同士が突き合わされて形成され、出隅頂部は、面取りにより略平坦な面として形成され、前記出隅頂部にレーザーにより刻印が施され、前記刻印が認識可能なように前記刻印を含む出隅頂部が塗装されていることを特徴とするものである。
【００１０】
本発明に係る出隅材の製造方法は、セメントを主成分とする窯業系サイディング材により構成される出隅材の製造方法であって、所定の角度を有する二つの平材の端部同士を突き合わせて基材を形成し、出隅頂部を面取りにより略平坦な面として形成し、前記出隅頂部にレーザーにより刻印を施した後、前記刻印が認識可能なように前記刻印を含む出隅頂部を塗装することを特徴とするものである。
【発明の効果】
【００１１】
本発明によれば、施工した後でも純正品かどうかを確認することができ、建物の品質を低下させることのない窯業系サイディング材及び出隅材を得ることができる。
【図面の簡単な説明】
【００１２】
【図１】本発明の出隅材の実施形態の一例を示し、（ａ）は概略図、（ｂ）は一部の断面図である。
【図２】本発明の窯業系サイディング材の実施形態の一例を示す概略図である。
【図３】（ａ）〜（ｆ）は、出隅材を製造する方法の一例を示す概略図である。
【図４】（ａ）及び（ｂ）は、塗装前後の刻印の一例を示す写真である。
【図５】（ａ）及び（ｂ）は、サイディング材の比較の形態の一例を示す断面図である。
【発明を実施するための形態】
【００１３】
窯業系サイディング材は、セメントを主成分とする材料により形成されるものである。窯業系サイディング材は、例えば、原料となる水硬性膠着材に無機充填剤、繊維質材料等を配合し、成形した後に養生硬化させて作製される。水硬性膠着材としては、特に限定されるものではないが、例えばポルトランドセメント、高炉セメントなどのセメント材料を１種又は複数種で用いることができる。また、セメント材料に、高炉スラグ、ケイ酸カルシウム、石膏などを１種又は複数種、混合してもよい。また、無機充填剤としてはフライアッシュ、ミクロシリカ、珪砂等を用いることができる。また、繊維質材料としてはパルプ、合成繊維、アスベスト等の無機繊維や、スチールファイバー等の金属繊維を、それぞれ単独であるいは複数種併せて用いることができる。成形は押出成形や注型成形、抄造成形、プレス成形等の方法により行なうことができ、成形の後、必要に応じてオートクレーブ養生、蒸気養生、常温養生を行なって、外壁材などに使用される窯業系サイディング材の基材を作製することができる。
【００１４】
図１は、窯業系サイディング材により構成される出隅材Ａの一例である。出隅材Ａは建物の外壁の出隅部に用いられるものであり、同質出隅と称せられる外壁材である。
【００１５】
出隅材Ａの基材１は、側端部の端面が表面に対して所定の角度を有する二つの平材５，５を用い、この平材５，５の端部同士を突き合わせて形成されている。一方の平材５と他方の平材５は平面視Ｌ字状となるように垂直に突き合わされ、貼り付けられている。それぞれの平材５は、平板状の壁材が短冊状に切断されて形成されたものであり矩形状となっている。平材５において、突き合わせられる端面は、平材５の表面（又は裏面）と約４５度の傾斜角度で形成されており、それにより、二つの平材５，５が垂直に配置されて基材１を構成するようになっている。なお、平材５の端面の傾斜角度は、突き合せて垂直になるのであれば４５度に限定されるものではなく、例えば、一方を３０度にして他方を６０度にしてもよく、平材５，５を垂直に突き合わせる場合、要するに角度の合計が９０度になればよい。所定の角度を有する平材５の端面は、切断や削り落としなどの切削加工により形成されてもよいが、成形の際にあらかじめ形成されていてもよい。なお、出隅材Ａの多くは出隅の角度が通常９０度であるが、施工される建物の形状によっては９０度より大きくなったり、小さくなったりする場合もある。その場合、平材５の端面は突き合わせる角度に応じてその傾斜角度を設定することができる。そして、平材５の端面を平行にし、平材５，５を垂直よりも大きい角度で、あるいは、垂直よりも小さい角度で突き合わせることができる。
【００１６】
平材５，５の端部が突き合わされて形成された出隅材Ａの頂部である出隅頂部３は、面取りにより略平坦な面として形成されている。略平坦な面は、例えば、基材１（平材５）の表面の凹凸に倣って、表面凹凸を付けて面取りされた面であってもよい。出隅頂部３は、平材５，５の表面とのなす角度が約４５度の面であってもよいが、これに限定されるものではない。面取りは、出隅材Ａの角部の切り落とし（削り落とし）であり、好ましくは角部での基材１の厚みが平材５の厚みを下回らない程度で行われている。
【００１７】
出隅頂部３には、レーザーにより施された刻印２が設けられている。刻印２は、出隅材Ａの上下方向の端部に形成されていることが好ましい。刻印２を端部に形成することにより、必要以上に目立つことを抑えることができ、また、刻印２の場所を容易に認識できて視認性が向上する。また、出隅頂部３は略平坦な面となっているが、表面に凹凸が形成されている場合もあり、略平坦な面の中でも比較的水平な箇所を選択して刻印２が形成されることも好ましい。そして、刻印２は、レーザーの焦点距離が一定になって形成されることが好ましく、そのためには、より水平な箇所を選択したり、レーザー照射装置を凹凸に倣って移動させたりしてレーザーを照射することができる。
【００１８】
刻印２の溝の深さは、例えば１０μｍ〜１．０ｍｍ程度にすることができる。刻印２の溝がこの範囲であることにより、刻印２が必要以上に深くなることがないとともに、塗装後も視認が容易な刻印２を形成することができる。
【００１９】
刻印２は、純正品であることを示すマーク（標識）にすることができる。図示の形態では、会社ロゴを示す「ＫＭＥＷ」の文字列の刻印２が施されている。刻印２により純正品かどうかを識別できれば、表面を確認するだけで純正品であることが認識でき、施工後に出隅材Ａを引き剥がす必要がなくなる。
【００２０】
また、製造ロット番号などの刻印２以外の情報は、基材１の裏面や端面に設けることができる。製造ロット番号など、製品の生産日時や生産工場、塗装グレードを判別するのに必要な情報を基材１の外部から視認できない面に設けることで、外観のよい出隅材Ａを形成することができる。これらの情報は、刻印してもよいし、印字してもよい。
【００２１】
基材１の表面には塗装層４が形成されている。図１（ｂ）に示すように、この塗装層４は、刻印２が認識可能なように刻印２を含む基材表面に設けられている。そして、刻印２の表面に形成された塗装層４には、刻印２の溝により塗装溝４ａが形成されている。この塗装溝４ａによって、出隅材Ａを表面から見たときに、刻印２の形状が視認可能となるものである。塗装層４は、一層であってもよいが、複数層であってもよい。また、塗装層４を複数の層で形成する場合、刻印２の表面に、平材５の表面に施される塗装層の一部の塗装層が塗装されるようにしてもよい。塗装層４の厚みは、例えば１０μｍ〜５０μｍ程度にすることができる。このように、刻印２の表面に塗装層４が設けられることによって、刻印２によりできた溝で基材表面が外部に露出することがなく、刻印２での塗膜の剥がれを抑制することができ、また、刻印２での変色を抑え、刻印２からの水分の吸収を防ぐことができるものである。
【００２２】
ここで、出隅材Ａにおいては、レーザーによる刻印２の形成の後に塗装が施されるものである。
【００２３】
図５に、比較の形態として、塗装が施された後にレーザーにより刻印２が形成されたサイディング材の表面の例を示す。図５（ａ）では、レーザーにより刻印２を施したときに、レーザーが塗装層４を貫通し、塗膜が破壊されてしまっている。そして、刻印２の溝により基材１の表面が外部に露出している。このように、塗装後にレーザーで刻印２を形成すると、塗膜が剥がれる可能性があり、刻印２の周辺で変色する可能性があり、刻印２により露出した基材表面から水分を吸収してサイディング材が劣化する可能性があるものである。
【００２４】
また、図５（ｂ）の形態は、複数の塗装層４１，４２で塗装層４を形成するようにし、塗装層４の範囲においてレーザーで刻印２を施すようにしたものである。この形態では、塗装層４の厚みの範囲で刻印２を形成しているため基材１の表面が露出することを防ぐことができるものの、刻印２の溝が浅いため、視認性が悪くなる可能性がある。また、塗装層４のうち外部側に配置される塗装層４１の塗膜を破壊しているため、塗装層４１が着色層である場合は着色が削られてしまったり、塗装層４１がコーティング層である場合はコーティングが削り取られてしまったりする。そして、塗膜が破壊されると、刻印２部分が変色したり、刻印２部分から水分を吸収したりしてサイディング材が劣化する可能性があるものである。
【００２５】
それに対し、図１に示す形態の出隅材Ａでは、レーザーによる刻印２の形成の後に塗装が施されているので、表面塗膜に傷がつけられておらず、塗膜の剥がれを防ぎ、刻印２の周辺での変色を抑制し、刻印２から水分が吸収されることを抑えることができるものであり、サイディング材の劣化を低減することができるものである。
【００２６】
また、刻印２はレーザーにより形成されているので、レーザーの焦点距離が一定になり、刻印２の溝の深さが安定し、識別しやすく外観のよい刻印２を形成することができる。そして、塗装により塗装層４を形成した際には、塗装溝４ａが刻印２の表面において刻印２の形状に沿って形成されるので、刻印２が識別しやすくなる。また、刻印２の溝の表面で、塗装層４は塗膜表面が滑らかな曲面となって形成されるので、刻印２が必要以上に目立つようなことを防止し、刻印２を視認可能にしつつも外観のよい出隅材Ａを形成することができるものである。
【００２７】
図２は、刻印２が施された窯業系サイディング材Ｂの一例である。窯業系サイディング材Ｂは、外壁材の他、内壁材、屋根材、などにも用いることができる。図示の窯業系サイディング材Ｂは、矩形状に形成され、その隅部に刻印２が施されている。刻印２を隅部に設けることにより、必要以上に刻印２が目立つことを防ぐことができる。
【００２８】
刻印２は、基材１の表面にレーザーを施すことにより形成されている。刻印２の溝の深さは、出隅材Ａの場合と同様の深さ程度にすることができる。刻印２は、純正品であることを示すマークにすることができる。図示の形態では、会社ロゴを示す「ＫＭＥＷ」の文字列の刻印２が施されている。刻印２により純正品かどうかを識別できれば、表面を確認するだけで純正品であることが認識でき、施工後に窯業系サイディング材Ｂを引き剥がす必要がなくなる。裏面には製造ロットなどを刻印又は印字してもよい。
【００２９】
この形態にあっても、基材１の表面に形成された塗装層４が、図１（ｂ）の形態と同様に、刻印２が認識可能なように刻印２を含む基材表面に設けられている。そして、刻印２の表面に形成された塗装層４には、刻印２の溝により塗装溝４ａが形成されている（図１（ｂ）参照）。この塗装溝４ａによって、窯業系サイディング材Ｂを表面から見たときに、刻印２の形状が視認可能となるものである。塗装層４は、一層であってもよいが、複数層であってもよい。このように、刻印２の表面に塗装層４が設けられることによって、刻印２によりできた溝が外面に露出することがなく、刻印２での塗膜の剥がれを抑制することができ、また、刻印２での変色を抑え、刻印２からの水分の吸収を防ぐことができるものである。
【００３０】
図３は、図１の形態の出隅材Ａを製造する方法の一例を示す概略図である。
【００３１】
出隅材Ａを形成するにあたっては、まず、一組（二枚）の平材５，５を準備する。平材５は窯業系サイディング材により構成されるものであり、窯業系サイディング材の材料が成形されたものであってもよく、あるいは、成形された窯業系サイディング材の端部が切断されたものであってもよい。平材５としては、表面に塗装層が設けられているものを使用することができる。
【００３２】
そして、平材５の対向する各側端部を裏面側の角を切り取るように斜め方向に切断する。切断面５ａの角度は、所定の角度にすることができ、例えば表面との角度４５度にすることができる。図３（ａ）では、切断面５ａを形成する切断線を破線により示している。このとき、平材５の対向配置する二つの切断面５ａ，５ａは、二つの平材５を垂直に配置したときに、平行になる面として形成される。そして、図３（ｂ）に示すように、切断面５ａ，５ａを合わせるように二つの平材５を突き合せて貼り付ける。なお、貼り合わせには接着剤などを使用することができる。これにより、図３（ｃ）に示すように、平面視Ｌ字型の基材１が形成される。
【００３３】
そして、図３（ｄ）に示すように、基材１の角部３ａ（出隅部）を切削により面取りして略平坦な面として出隅頂部３を形成する。このとき、出隅頂部３には微細な凹凸が形成されていてもよい。微細な凹凸により刻印２を目立ちにくくすることができる。次に、図３（ｅ）に示すように、出隅頂部３の上側又は下側の端部にレーザーにより刻印２を施す。このとき、レーザーの焦点距離が一定になるようにすることが好ましい。刻印２は二つの平材５，５を跨ぐように形成することができる。このとき、出隅頂部３は面取りにより塗装層がなくなっており、直接、基材１の表面に刻印２が刻み込まれる。そして、刻印２を含む出隅頂部３にシーラーを塗布した後、平材５の表面の塗装に用いた塗料と同種の塗料で構成される補修用塗料で出隅頂部３を塗装する。図３（ｆ）では、補修用塗料を塗装する部分を斜線領域で示している。なお、補修用塗料は少なくとも出隅頂部３に塗布されるものであるが、平材５の表面の一部に塗布されてもよい。平材５の表面を跨って塗布されると自然な塗装層４を形成することができる。また、補修用塗料により形成された塗装層４は、表面に微細な凹凸を有していてもよい。微細な凹凸により刻印２を目立ちにくくすることができる。
【００３４】
このように補修用塗料で塗装することにより、平材５の表面と同様に、出隅頂部３に塗装層４が形成され、この部分での塗膜性能を確保することができる。また、突き合わせ部分の境界を分かりにくくして意匠性を良好にすることができる。また、二つの平材５を突き合わせて形成した出隅材Ａにあっては、面取りして塗装が除去された出隅頂部３に塗装を施して補修する必要が元来あるため、レーザーにより刻印２を施す工程を追加するだけで、刻印２の形成と刻印２の認識が可能な塗装とを行えるものである。
【００３５】
そして、図１（ｂ）に示すように、塗装層４は、刻印２の表面に沿うとともに、塗装溝４ａの側面同士や塗装溝４ａと塗装表面との境界が滑らかな曲面となって形成されるものであるので、刻印２の印影を和らげて刻印２を目立ちにくくすることができる。また、出隅頂部３の塗装層４は、平材５の塗装層と同種のもの（色味など）が用いられているので、出隅頂部３の色が異なって目立つようなことを防ぐことができるものである。
【００３６】
ここで、出隅材Ａにあっては、純正品の平材５を用いて純正品の業者でない者が、勝手に出隅材Ａを形成することがあるが、上記の出隅材Ａにおいては、出隅頂部３に刻印２が施されているため、純正品の出隅材Ａかどうかを簡単に識別することが可能である。すなわち、出隅頂部３は二つの平材５を跨って形成される部分であるため、平材５に純正品を示すマークや刻印があったとしても、突き合わせ後に刻印２を施さない限り、出隅頂部３に純正品であることを示す刻印２が配置されることはない。よって、出隅頂部３に刻印２を形成することによって、出隅材Ａが純正品であることを簡単に判別できるのである。
【００３７】
図４は、刻印２に塗装を施す前後の様子の一例を示す写真である。図４（ａ）では、レーザーによる刻印２の形成により、はっきりとした印影で刻印２が刻み込まれている。そして、この刻印２を含めて出隅頂部３に塗装を施すことにより、図４（ｂ）のように、塗装層４が形成される。図４（ｂ）では、刻印２の文字が判別できる程度に認識可能であるとともに、刻印２が目立ちにくくなっており、視認性と意匠性の両方に優れたものとなっている。また、窯業系の材料が面取りされて形成された出隅頂部３の表面には、微細な凹凸が形成されている。このため、塗装層４の表面には微細な凹凸を有する塗装面が形成されるので、刻印２の溝がこの微細な凹凸に紛れることによって、刻印２が目立ちにくくなるものである。
【００３８】
ところで、上記では、予め塗装が施された平材５を用い、出隅頂部３に補修用塗料を塗布して塗装層４を形成するようにしたが、塗料の塗装の順序はこの方法に限られない。例えば、塗装が施されていない平材５、あるいは、下層のみ塗装が施された平材５を用い、出隅頂部３を形成した後、レーザーで刻印２を施し、その後、刻印２が形成された出隅頂部３を含む基材１全体を塗装するようにしてもよい。また、二つの平材５を用いて出隅材Ａの基材１を構成した形態を示したが、出隅材Ａの基材１はこれに限られない。例えば、基材１として、成形によりあらかじめＬ字型に形成された基材１を用いてもよい。
【００３９】
なお、図２の形態の窯業系サイディング材を製造する方法は、上記の方法と同様にすることができる。例えば、窯業系サイディング材の材料から基材１を成形し、レーザーにより刻印２を施した後、この刻印２を含む基材１表面を塗装することにより、刻印２に塗装層４が形成された窯業系サイディング材Ｂを得ることができる。
【符号の説明】
【００４０】
Ａ      出隅材
Ｂ      窯業系サイディング材
１      基材
２      刻印
３      出隅頂部
４      塗装層
５      平材
【図１】
0005612458.tif 000002
【図２】
0005612458.tif 000003
【図３】
0005612458.tif 000004
【図５】
0005612458.tif 000005
【図４】
0005612458.tif 000006